(57)【特許請求の範囲】
【請求項１】
独立走行駆動可能な履帯式走行装置を走行フレーム１の左右両側に懸架しており、該走行フレーム１上に、タンクＴ、エンジンＥ、動力噴霧機Ｐ及び噴口を具備してなる自走式噴霧機において、噴口を、正面視にて、中央の垂直方向の噴口Ａと、該垂直方向の噴口Ａの外側に配置する上下逆Ｌ字曲折形状の噴口Ｂにより、下方開放状のコの字形状とし、垂直方向の噴口Ａは、走行フレーム１上に立設した噴口支柱３に対して、左側に配設される左噴口ＡＬと、右側に配設されるのを右噴口ＡＲにより構成し、上下逆Ｌ字曲折形状の噴口Ｂは、中央の噴口支柱３に対して左側に配設される左逆Ｌ字曲折噴口ＢＬと、右側に配設される右逆Ｌ字曲折噴口ＢＲにより構成し、前記噴口支柱３に対し、噴口Ａは水平方向の基台４に固設される垂直方向の筒部４ａを、また、噴口Ｂは水平方向の基台７に固設される垂直方向の筒部７ａを、それぞれ噴口支柱３に上下摺動自在に環設し、それぞれのノブ螺子１４・１６の締め付けにて噴口支柱３に対し、高さ調節と固定を可能としたことを特徴とする自走式噴霧機の噴口構造。
【請求項２】
請求項１記載の自走式噴霧機の噴口構造において、前記上下逆Ｌ字曲折形状の噴口Ｂは、左逆Ｌ字曲折噴口ＢＬと右逆Ｌ字曲折噴口ＢＲを、それぞれ垂直支持杆１０と水平支持杆８により構成し、両者の曲折部分を介して、垂直支持杆１０を水平支持杆８に向けて折り畳み可能に構成し、該水平支持杆８が、噴口支柱３に取り付けられる基台７に対して上方回動可能で、その上方回動に伴って、該垂直支持杆１０が自重にて折り畳まれ、前記垂直支持杆１０を、基台７の筒部７ａに支持したインナーワイヤ２３の引き操作にて上方回動させるものとし、該インナーワイヤ２３の止め位置を複数箇所設けて、複数の折り畳み角度を設定可能としたことを特徴とする自走式噴霧機の噴口構造。
【発明の詳細な説明】
【０００１】
【発明の属する技術分野】
本発明は、菊やカーネーション等、上方及び両側方からの噴霧を必要とする作物に噴霧を施すための自走式噴霧装置の噴口構造に関する。
【０００２】
【従来の技術】
従来、自走式噴霧機においては、走行装置に立設する噴口支柱に対して、垂直方向の噴口（水平向きの噴孔を具備する）を取り付けるか、または水平方向の噴口（下方向きの噴孔を具備する）を取り付けている。作物の側方からの噴霧が適している場合には垂直方向の噴口を、作物の上方から噴霧するのがよい場合には水平方向の噴口を取り付ける。また、水平方向の噴口を取り付ける場合には、噴口支柱に取り付ける基台に対して、噴口が水平方向に回動して、自走式噴霧機の前後方向に沿って折り畳めるようになっている。
【０００３】
【発明が解決しようとする課題】
菊やカーネーション等、垂直上方に長く伸びる花卉等に関しては、作物の植栽状態が直方体形状となるので、上方及び側方からの噴霧が必要であり、両向きの噴霧が一度に行えれば、噴霧作業も容易である。これを可能とすべく、従来の水平方向の噴口より垂直下方に別の噴孔を垂設する構造については、出願済みであるが、これは、別途噴口を取り付ける必要がある一方で、この垂直下方向きの噴口を取り付けたままで水平方向の噴口を折り畳むことはできず、収納時には取外し作業が必要となる。従って、噴霧作業の度に一々別部品の噴口を取り付ける作業が必要である。従って、水平方向と垂直方向の噴口を組み合わせて一体の部品とした噴口があればよい。しかし、この中で問題となるのは、収納構造である。従来のように水平向きに回動するとすれば垂直方向の噴口を、自重に対抗して水平向きに折り畳む構造が必要で、構造が複雑になる。自重を利用して、垂直上方に折り畳めるようにすると、折り畳んだ噴口の高さが非常に高くなり、搬送や機体そのものの収納に支障を来す。
【０００４】
【課題を解決するための手段】
本発明は、以上のような課題を解決するために次のような手段を用いるものである。
【０００５】
請求項１においては、独立走行駆動可能な履帯式走行装置を走行フレーム１の左右両側に懸架しており、該走行フレーム１上に、タンクＴ、エンジンＥ、動力噴霧機Ｐ及び噴口を具備してなる自走式噴霧機において、噴口を、正面視にて、中央の垂直方向の噴口Ａと、該垂直方向の噴口Ａの外側に配置する上下逆Ｌ字曲折形状の噴口Ｂにより、下方開放状のコの字形状とし、垂直方向の噴口Ａは、走行フレーム１上に立設した噴口支柱３に対して左側に配設される左噴口ＡＬと、右側に配設される右噴口ＡＲにより構成し、上下逆Ｌ字曲折形状の噴口Ｂは、中央の噴口支柱３に対して左側に配設される左逆Ｌ字曲折噴口ＢＬと、右側に配設されるのを右逆Ｌ字曲折噴口ＢＲにより構成し、前記噴口支柱３に対し、噴口Ａは水平方向の基台４に固設される垂直方向の筒部４ａを、また、噴口Ｂは水平方向の基台７に固設される垂直方向の筒部７ａを、それぞれ噴口支柱３に上下摺動自在に環設し、それぞれのノブ螺子１４・１６の締め付けにて噴口支柱３に対し、高さ調節と固定を可能としたものである。
【０００６】
請求項２においては、請求項１記載の自走式噴霧機の噴口構造において、前記上下逆Ｌ字曲折形状の噴口Ｂは、左逆Ｌ字曲折噴口ＢＬと右逆Ｌ字曲折噴口ＢＲを、それぞれ垂直支持杆１０と水平支持杆８により構成し、両者の曲折部分を介して、垂直支持杆１０を水平支持杆８に向けて折り畳み可能に構成し、該水平支持杆８が、噴口支柱３に取り付けられる基台７に対して上方回動可能で、その上方回動に伴って、該垂直支持杆１０が自重にて折り畳まれ、前記垂直支持杆１０を、基台７の筒部７ａに支持したインナーワイヤ２３の引き操作にて上方回動させるものとし、該インナーワイヤ２３の止め位置を複数箇所設けて、複数の折り畳み角度を設定可能としたものである。
【０００７】
【発明の実施の形態】
本発明の実施の形態を、添付の図面を基に説明する。
図１は本発明に係る噴口を具備する自走式噴霧機の正面図、図２は右噴口ＢＲを折り畳み状態Ｘとした場合の部分後面図、図３は右噴口ＢＲを折り畳み状態Ｙとした場合の部分後面図、図４は噴口が図２図示の状態におけるハンドル部の斜視図、図５は噴口が図３図示の状態におけるハンドル部の斜視図である。
【０００８】
図６は基台７及び水平支持杆８の基端部の正面図、図７は同じく平面図、図８は同じく側面図、図９は基台７の筒部７ａにおける上下位置調節機構を示す部分正面図、図１０は同じく部分側面断面図、図１１は噴口を取り外した状態における本発明に係る自走式噴霧機の平面図、図１２は同じく側面図である。
【０００９】
まず、自走式噴霧機の概略構成について、図１、図１１及び図１２より説明する。
独立走行駆動可能な履帯式走行装置を走行フレーム１の左右両側に懸架しており、該走行フレーム１上において、前部には、水または薬液収容用のタンクＴを搭載し、後部には、下端部に動噴床板２９を具備する保護フレーム２８を搭載し、該動噴床板２９上にエンジンＥ及び動噴Ｐを搭載している。なお、保護フレーム２８の上部はハンドル部となっており、該ハンドル部にて左右挟持するようにして、該エンジンＥ及び動噴Ｐの上方にて、操作パネル３０を配設している。また、該動噴床板２９の下方にて、走行フレーム１の後方位置に走行用ミッションケースＭが配設されており、エンジンＥより動力伝達される。走行フレーム１の前端からは噴口支柱台２が前方に突設されており、該噴口支柱台２より垂直上方に噴口支柱３が立設されている。そして、動噴Ｐからは走行フレーム１内を通して、前方に左右の噴霧用ホースＨ・Ｈを突出させている。
【００１０】
本発明に係る噴口構造について、図１乃至図１２より説明する。なお、特に説明のない場合、後記噴孔Ｂについては折り畳まない状態を前提にして説明する。
噴口支柱３に対しては垂直方向の噴口（以後、「噴口Ａ」とし、特に噴口支柱３に対して左側に配設されるのを「左噴口ＡＬ」、右側に配設されるのを「右噴口ＡＲ」とする。）と、上下逆Ｌ字曲折形状の噴口（以後、「噴口Ｂ」とし、特に噴口支柱３に対して左側に配設されるのを「左噴口ＢＬ」、右側に配設されるのを「右噴口ＢＲ」とする。）とが、独立して高さ調節可能であるように取り付けられる。即ち、噴口Ａに関しては、水平方向の基台４に固設される垂直方向の筒部４ａを、また、噴口Ｂに関しては水平方向の基台７に固設される垂直方向の筒部７ａを、それぞれ噴口支柱３に上下摺動自在に環設しており、それぞれノブ螺子１４・１６の締め付けにて噴口支柱３に固定可能である。なお、基台７は、基台４の上方にて噴孔支柱３に取り付けられている。
【００１１】
ここで、基台７の上下位置調節機構について図９及び図１０より説明する。
基台７の筒部７ａの内側前面に板バネ１６を添わせ、該筒部７ａ前部と該噴口支柱３前面との間に板バネ１６を介装するようにする。板バネ１６の上部は曲折していて、この曲折部１６ａを筒部７ａに穿設した孔７ｂより前方に突出させる。該曲折部１６ａには、ノブ螺子９を螺入するための螺子孔１６ｂが穿設されており、一方、該螺子孔１６ｂの後方にて、該筒部７ａ前面に該ノブ螺子１５嵌挿用の孔７ｃを穿設し、該孔７ｃの外側にはナット１７を固設し、ナット１７の孔を該孔７ｃに一致させている。ノブ螺子１５は、その螺子山を該板バネ１６の曲折部１６ａの螺子孔１６ｂに、更に、ナット１７の孔に嵌挿し、その先端を該孔７ｃより筒部７ａ内に挿入して、板バネ１６の前面に押接する。これにより板バネ１６が筒部７ａ内に嵌入されている噴口支柱３の前面に押し付けられ、筒部７ａ即ち基台７が噴孔支柱３に固定される。ノブ螺子１５を緩めれば、板バネ１６の噴口支柱３への押圧が緩み、筒部７ａ即ち基台７を噴口支柱３に沿って上下摺動自在となり、上下位置を調節できる。
【００１２】
基台４の上下位置調節機構も、このような板バネ１６を用いた同様の構造となっており、噴口支柱３に取り付けた基台４の筒部４ａをノブ螺子１４にて締め緩め操作して、上下位置を調節し、噴口支柱３に固定できる。
【００１３】
噴口Ａの構成について、図１等より説明する。
基台４より垂直上方に左右の垂直支持杆５（５Ｌ・５Ｒ）が立設されており、各垂直支持杆５の直外側方に、水平外側向きの噴孔６ａ・６ａ・・・を具備する垂直噴霧管６（６Ｌ・６Ｒ）を平行状に添設支持している。各垂直噴霧管６の下端には、前記噴霧口２ａに接続した噴霧用ホースＨの他端を接続している。噴孔Ａに関しては、噴孔６ａ・６ａ・・・から略水平向きに噴霧がなされ、即ち、作物の側方からの噴霧がなされるものであり、ノブ螺子５の締緩操作にて基台４の高さ調節をして、噴孔６ａ・６ａ・・・の高さを調節できるものとなっている。
【００１４】
なお、図６乃至図８の如く、噴口Ｂの基台７の上部には、左右にブラケット７ｄ・７ｄを立設して、両ブラケット７ｄ・７ｄ間にて、回動自在に回動軸１８ａを左右方向に軸支しており、該回動軸１８ｃに直交状に挟持部材１８（１８Ｌ・１８Ｌ及び１８Ｒ・１８Ｒ）を突設している。該基台７の前方には、垂直支持杆５が垂直状に配設されるが、該垂直支持杆５がその下端のみにて、基台４を介して噴口支柱３に支持されているだけでは、該垂直支持杆５に振れを生じるおそれがある。そこで、挟持部材１８を前方水平状に突出するように配置し、挟持部材１８Ｌ・１８Ｌ間に垂直支持杆５Ｌを、挟持部材１８Ｒ・１８Ｒ間に垂直支持杆５Ｒを通過させて、この振れを抑止するものとしている。
【００１５】
なお、噴口Ａと噴口Ｂとは、噴口支柱３に対し、独立して支持されているので両者の高さ関係は一定でない。例えば、基台７の高さが垂直支持杆５の上端よりも上方になってしまうほど、噴口Ｂの高さを噴口Ａよりも高くすると、挟持部材１８Ｒと、垂直支持杆５と後記水平支持杆８との間に介装する噴霧用ホースＨとが干渉してしまうということになって、基台７を思うように上方に移動させることができない。このような場合には、回動軸１８ａを回動させることで、図７及び図８にて二点破線にて示す如く、挟持部材１８を後方向きに反転させることができ、これにより、該噴霧用ホースＨと挟持部材１８との干渉が回避され、噴口Ａを噴口Ｂに対して高く配設することも可能となる。
【００１６】
次に、噴孔Ｂの構成について、図１乃至図８より説明する。
前記基台７の左右端には、それぞれ水平支持杆８（８Ｌ・８Ｒ）の基端が枢支ピン１９（図８及び図９図示）にて枢支されており、各水平支持杆８を水平方向から垂直上方向きまで９０°回動できるようになっている。各水平支持杆８の先端は、正面視で上下逆Ｌ字状に曲折する曲折フレーム９の水平部分９ａに沿わせて、これに固設しており、一方、各曲折フレーム９の垂直部分９ｂには、それぞれ垂直支持杆１０（１０Ｌ・１０Ｒ）の上端を枢支する。曲折フレーム９の垂直部分９ｂは垂直支持杆１０の外側への回動を制止するストッパーとなっており、垂直支持杆１０の水平支持杆８に向けての回動は自在である。即ち、垂直支持杆１０を水平支持杆８に向けて折り畳み可能となっている。
【００１７】
各水平支持杆８の直下方には、下方向きの噴孔１１ａ・１１ａを具備する水平噴霧管１１を、各垂直支持杆１０の直内側方には、水平内側向きの噴孔１２ａ・１２ａ・１２ａを具備する垂直噴霧管１２を、各々添設支持している。前記噴孔Ａにおける垂直噴霧管６上端と水平噴霧管１１との間、及び、水平噴霧管１１と垂直噴霧管１２との間には、それぞれ噴霧用ホースＨが介装される。
【００１８】
なお、垂直噴霧管６、水平噴霧管１１、及び垂直噴霧管１２は、それぞれ挟持部材１３によって垂直支持杆５、水平支持杆８、及び垂直支持杆１０に挟持されることで支持されており、挟持部材１３に螺入する螺子を緩めれば、各噴霧管を各支持杆に沿って摺動させる（或いは取り外す）ことができ、これによって、噴孔位置を調節することができる。特に、水平噴霧管１１の水平支持杆８に対する支持位置の変更にて、噴孔１１ａの左右方向の位置を調節可能である。
【００１９】
また、噴孔の高さに関しては、このように、垂直支持杆５に対する垂直噴霧管６の、或いは垂直支持杆１０に対する垂直噴霧管１２の支持位置を調節する以外に、前記の如く、基台４または基台７の噴孔支柱３における上下高さ調節によっても調節できる。そして、垂直噴霧管６と水平噴霧管１１との間の噴霧用ホースＨの伸長限界までの範囲で、噴口Ａにおける噴孔６ａの高さと、噴口Ｂにおける噴孔１１ａ・１２ａの高さとは、独立して調節できるのである。
【００２０】
以上のような噴口構成において、噴霧作業時においては、各水平支持杆８を水平状にすると、保護フレーム２８のハンドル部を持つ作業者から見て（即ち、機体後部より前部を見て）、噴口支柱３より左側には、左噴口ＡＬと左噴口ＢＬ（垂直支持杆５Ｌ・水平支持杆８Ｌ・垂直支持杆１０Ｌ）にて下方開放状のコの字形状の噴口が形成され、右側にも、右噴口ＡＲと右噴口ＢＲ（垂直支持杆５Ｒ・水平支持杆８Ｒ・垂直支持杆１０Ｒ）にて下方開放状のコの字形状の噴口が形成される。こうして、自走式噴霧機の走行路の左右に植えられる作物に対し、水平支持杆８Ｌ・８Ｒにて支持される各噴孔１１ａにて上方からの噴霧と、垂直支持杆５Ｌ・５Ｒにて支持される各噴孔６ａ及び垂直支持杆１０Ｌ・１０Ｒにて支持される各噴孔１２ａからの噴霧が同時になされ、一度の噴霧作業で作物に充分な灌水及び防除を施すことができる。
【００２１】
次に、噴口Ｂの折り畳み構造について説明する。
前記の如く、基台７への基端の枢支部（枢支ピン１９）を支点に、水平支持杆８が（９０°まで）上方回動可能であり、垂直支持杆１０は、曲折フレーム９への枢支部を支点に水平支持杆８向きに回動可能となっている。ここで、水平支持杆８を上方に回動していくと、該水平支持杆８と一体の曲折フレーム９の回動にかかわらず、上端を曲折フレーム９に枢支された垂直支持杆１０は、自重にて垂直下向きに保持されたままである。つまり、水平支持杆８を上方回動操作すれば、垂直支持杆１０は自然に水平支持杆８に向けて折り畳まれるのであって、折り畳みの手段としては、水平支持杆８の回動操作手段のみを設ければよい。
【００２２】
水平支持杆８の回動操作は、ワイヤの引き操作によるものとしている。まず、図１乃至図３、図６乃至図８の如く、基台７の筒部７ａに、前部アウターワイヤ受け７ｅ・７ｅを固設しており、一方、図４、図５、図１１及び図１２の如く、前記の自走式噴霧機の後部に配設する保護フレーム２８の上部に形成する左右ハンドル部の前端位置に、後部アウターワイヤ受け２６（２６Ｌ・２６Ｒ）を配設しており、各前部アウターワイヤ受け７ｅと各後部アウターワイヤ受け２６との間に、それぞれ、アウターワイヤ２５（２５Ｌ・２５Ｒ）を介装する。更に、各水平支持杆８の途中部に取り付けたワイヤ端取付部材８ａより延設されるインナーワイヤ２３（２３Ｌ・２３Ｒ）を、アウターワイヤ２５内に嵌挿し、該後部アウターワイヤ受け２６に支持する該アウターワイヤ２５後端より後方に突出させており、該インナーワイヤ２３の後端には、ツマミ２４（２４Ｌ・２４Ｒ）を固設している。更に、保護フレーム２８のハンドル部の後端部には、左右にワイヤ受け２７（２７Ｌ・２７Ｒ）を配設している。各インナーワイヤ２３後端のツマミ２４は、後部アウターワイヤ受け２６またはワイヤ受け２７に掛止可能となっている。
【００２３】
このような構成において、まず、噴霧時で、水平支持杆８を水平方向にする時は、ツマミ２４を後部アウターワイヤ受け２６に掛止する。図４及び図５では、機体左側のツマミ２４Ｌが左の後部アウターワイヤ受け２２に掛止されていることから、図２及び図３の如く、水平支持杆８Ｌは水平状となっており、従って、機体左側の左噴口ＡＬ・左噴口ＢＬにて形成される噴口が、下方開放状のコの字形状、即ち噴霧状態となっている。
【００２４】
そして、噴口Ｂの折り畳み時においては、ツマミ２４を持ってインナーワイヤ２３を後方に引くと、該インナーワイヤ２３にて水平支持杆８が上方に引っ張られて回動する。固定位置として、まず、インナーワイヤ２３の突出する後部アウターワイヤ受け２２と同一側のワイヤ受け２３にツマミ２４を掛止する（例えば図４の中で、右側の後部アウターワイヤ受け２２Ｒより突出される右インナーワイヤ２３Ｒのツマミ２４Ｒが、右側のワイヤ受け２３Ｒに掛止されている如きである。）と、それと同一側の噴口が、水平支持杆８と垂直支持杆１０との夾角が鋭角θとなって折り畳まれる。（この折り畳み状態をＸとする。）即ち、図２の如く、右側のツマミ２４Ｒを右側のワイヤ受け２３Ｒに掛止した場合には、右噴口ＢＲの水平支持杆８Ｒ・垂直支持杆１０Ｒが折り畳み状態Ｘとなる。
【００２５】
更に、図５中で、右側のツマミ２４Ｒを左側のワイヤ受け２７Ｌに掛止する如く、後部アウターワイヤ受け２６より突出するインナーワイヤ２３を対角線状に引っ張って、それとは反対側のワイヤ受け２７にツマミ２４を掛止すると、インナーワイヤ２３の後方への引き量を更に多く取ることができ、図３中の右噴口ＢＲの如く、水平支持杆８と垂直支持杆１０との夾角が略０°となって折り畳まれる状態（折り畳み状態Ｙ）とすることができる。
【００２６】
折り畳み状態ＸとＹとを比較すれば、Ｘ状態は、Ｙ状態よりも上端高さ（曲折フレーム９の高さ）を低くすることができる。但し、垂直支持杆１０がＹ状態よりも機体の外側に配されているので、左右方向に幅広い通過用スペースを必要とする。Ｙ状態の時には、略機体と同一幅に折り畳まれていて、通過用スペースの幅は狭くてもすむ。状況に応じて、Ｘ状態かＹ状態かを選択すればよい。
【００２７】
以上のように、水平支持杆８をインナーワイヤ２３で引っ張って上方回動させることで、噴口Ｂを折り畳む構造とすると、このままではインナーワイヤ２３を噴口Ｂの左半分または右半分全体の重量に対抗して引かなければならない。このインナーワイヤ２３の引き荷重を低減すべく、基台７の上端より垂直上方に左右のバネ支持ボルト２０・２０が突設しており、各バネ支持ボルト２０にバネ支持板２０ａを螺装して、該バネ支持板２０ａより各水平支持杆８基端の上端部に固着するナット２２のナット孔に対してバネ２１を連結している。なお、バネ支持ボルト２０の下端は、水平状にした時の水平支持杆８の上端に当接するようになっており、即ち、水平支持杆８の下方回動におけるストッパーの機能を兼備している。該バネ２１による水平支持杆８に対する上方付勢力を、該水平支持杆８が自重で下方回動して水平状態になるのを妨げない程度のものとすることで、噴口Ｂを折り畳んだ状態からワイヤ受け２７よりツマミ２４を外せば、自重で水平支持杆８は下方回動して水平状になり、インナーワイヤ２３は、この水平支持杆８の下方回動に引っ張られて、自然にツマミ２４が後部アウターワイヤ受け２６に掛止される状態になって停止する。このように、噴口Ｂの折り畳む際のワイヤ引き操作においても、折り畳み状態から噴霧状態にする際のワイヤ操作も、操作荷重が少なくてすみ、操作性がよい。
【００２８】
なお、噴口Ｂは、基台７が噴口支柱３の上部にて固定されている状態で折り畳むと、上端高さ（曲折フレーム９の高さ）は、非常に高くなる。これを低くして収納可能な高さとするには、まず、基台７よりも下方にて噴口支柱に取り付けられている基台４を、ぎりぎり下端位置（噴口支柱台２の上端に当接する位置）まで下げる。こうして、基台７の下方摺動スペースを確保すると、基台７を噴口支柱３上にて下方摺動させると、折り畳まれた噴口Ｂ全体が下方に摺動し、上端高さも低くすることができるのである。
【００２９】
【発明の効果】
本発明は自走式噴霧機の噴口構造を以上のようにしたので、次のような効果を奏する。
まず、噴口の形状に関しては、請求項１記載の如く構成することで、菊やカーネーション等、垂直上方に長く伸びる花卉等のように、植栽状態が直方体形状となる作物に対し、上方及び両側方よりの噴霧を一度に行うことが可能となり、効果的な噴霧を短時間で行うことができ、また、噴口自体を下方開放状のコの字形状とすることで、従来のように水平方向の噴口に対して別に垂直向きの噴口を着脱するというような煩雑な作業は不要である。
【００３０】
また、噴口の噴口支柱に対する取付構造に関しては、垂直方向の噴口と、上下逆Ｌ字曲折状の噴口とを独立して高さ調節でき、また、収納或いは搬送時には、垂直方向の噴口の取付位置を充分に下方に移動させることで、噴口支柱における上下逆Ｌ字曲折状の噴口の下方摺動スペースを確保できるのである。
【００３１】
請求項２の如く構成したので、左逆Ｌ字曲折噴口ＢＬと右逆Ｌ字曲折噴口ＢＲにおいて、水平噴霧管１１と水平支持杆８との曲折部で折り畳み形状とした場合にも、その上端高さを充分に低くして、収納や搬送可能な状態にすることができる。
また、噴口の収納または搬送の対応手段としては、請求項２記載の如く構成したので、左右に水平に伸びる上下逆Ｌ字曲折状の噴口も、折り畳んで、左右幅を縮小させることができ、また、折り畳み操作に関しては、垂直部分の自重を利用するので、操作は、水平部分の上方回動操作のみの容易な操作ですみ、折り畳みのための操作機構も簡単な構造とすることができる。
また、前記の請求項２記載の構造において、上下逆Ｌ字曲折状の噴口の高さを調節することで、折り畳んだ噴口を噴口支柱に対して下方に移動させて、その上端高さも低くして、更に収納及び搬送に適した状態にすることができる。
【００３２】
そして、このような折り畳み構造において、請求項２の如く構成することで、折り畳み角度を複数に設定できることから、折り畳んだ噴口の上端高さや左右幅を色々と選択でき、様々な収納或いは搬送等の条件に対応させることができるのである。
【図面の簡単な説明】
【図１】  本発明に係る噴口を具備する自走式噴霧機の正面図である。
【図２】  右噴口ＢＲを折り畳み状態Ｘとした場合の部分後面図である。
【図３】  右噴口ＢＲを折り畳み状態Ｙとした場合の部分後面図である。
【図４】  噴口が図２図示の状態におけるハンドル部の斜視図である。
【図５】  噴口が図３図示の状態におけるハンドル部の斜視図である。
【図６】  基台７及び水平支持杆８の基端部の正面図である。
【図７】  同じく平面図である。
【図８】  同じく側面図である。
【図９】  基台７の筒部７ａにおける上下位置調節機構を示す部分正面図である。
【図１０】  同じく部分側面断面図である。
【図１１】  噴口を取り外した状態における本発明に係る自走式噴霧機の平面図である。
【図１２】  同じく側面図である。
【符号の説明】
Ａ      噴口
Ｂ      噴口
３      噴口支柱
４      基台
５      垂直支持杆
６      垂直噴霧管
６ａ    噴孔
７      基台
８      水平支持杆
９      曲折フレーム
１０    垂直支持杆
１１    水平噴霧管
１１ａ  噴孔
１２    垂直支持杆
１２ａ  噴孔
１４    ノブ螺子
１５    ノブ螺子
２３    インナーワイヤ
２４    ツマミ
２５    アウターワイヤ
２６    後部アウターワイヤ受け
２７    ワイヤ受け
【図１】
0003788833.tif 000002
【図２】
0003788833.tif 000003
【図３】
0003788833.tif 000004
【図４】
0003788833.tif 000005
【図５】
0003788833.tif 000006
【図６】
0003788833.tif 000007
【図７】
0003788833.tif 000008
【図８】
0003788833.tif 000009
【図９】
0003788833.tif 000010
【図１０】
0003788833.tif 000011
【図１１】
0003788833.tif 000012
【図１２】
0003788833.tif 000013